(57)【要約】      （修正有）【課題】背筋を伸ばし背筋が前方に曲がることを防止又は減少させる背筋矯正装置を提供する。【解決手段】所定軸を軸とする第１の回転面のうち、該所定軸を含む平面である基準面によって２の空間に分割された一方の空間に存する第１の回転面の少なくとも一部に沿って略形成され、床面に当接する床面当接面と、人体の背中を支持する背中支持面であって、該２の空間に分割された他方の空間に存し、基準面から遠ざかる方向に突出する凸曲面である背中支持面と、を有してなる本体部を備えてなり、床面に対する本体部の少なくともいずれかの転動位置において、該背中が背中支持面により下方から支持されるものである、背筋矯正装置である。【選択図】図７
0003142607.tif 000002
【実用新案登録請求の範囲】
【請求項１】
所定軸を軸とする第１の回転面のうち、該所定軸を含む平面である基準面によって２の空間に分割された一方の空間に存する第１の回転面の少なくとも一部に沿って略形成され、床面に当接する床面当接面と、
人体の背中を支持する背中支持面であって、該２の空間に分割された他方の空間に存し、基準面から遠ざかる方向に突出する凸曲面である背中支持面と、
を有してなる本体部を備えてなり、
床面に対する本体部の少なくともいずれかの転動位置において、該背中が背中支持面により下方から支持されるものである、背筋矯正装置。
【請求項２】
背中が背中支持面により下方から支持された状態において、対象とする人体の足が床面に当接する位置から、該足が床面から離れる位置までの範囲を含む床面に対する本体部の転動が可能である、請求項１に記載の背筋矯正装置。
【請求項３】
所定転動位置を超えて人体の頭部が床面に接近する方向の転動を禁止する転動禁止手段を有するものである、請求項１又は２に記載の背筋矯正装置。
【請求項４】
転動禁止手段が、第１の回転面から突出するように本体部に取り付けられ、前記所定転動位置において床面に当接する回転止部材である、請求項３に記載の背筋矯正装置。
【請求項５】
前記第１の回転面が円柱の側面である、請求項１乃至４のいずれか１に記載の背筋矯正装置。
【請求項６】
凸曲面が、前記所定軸を軸とする第２の回転面の少なくとも一部に沿って略形成されているものである、請求項１乃至５のいずれか１に記載の背筋矯正装置。
【請求項７】
前記第２の回転面が円柱の側面である、請求項６に記載の背筋矯正装置。
【請求項８】
本体部が、第１の回転面に沿って前記所定軸の周りに形成された環状部分であって外周面が床面当接面を形成する環状部分を有してなる、請求項１乃至７のいずれか１に記載の背筋矯正装置。
【請求項９】
本体部が、前記所定軸方向に互いに離れた第１の環状部分及び第２の環状部分と、第１の環状部分と第２の環状部分とを連結する連結部材と、を有してなる、請求項８に記載の背筋矯正装置。
【請求項１０】
本体部が、床面当接面よりも柔軟な背中支持面を形成する背中当接部分を有するものである、請求項１乃至９のいずれか１に記載の背筋矯正装置。
【請求項１１】
背中が背中支持面により支持される状態を保つよう、背中の背中支持面に対する相対的位置の変化を制限するための人体に係合する、本体部に取り付けられた係合手段をさらに備えてなるものである、請求項１乃至１０のいずれか１に記載の背筋矯正装置。
【請求項１２】
係合手段が、人体の左右の上腕に係合する一対のベルトである、請求項１１に記載の背筋矯正装置。
【請求項１３】
人体の手で把持する杖部材が付設されたものである、請求項１乃至１２のいずれか１に記載の背筋矯正装置。
【考案の詳細な説明】
【技術分野】
【０００１】
本考案は、背筋矯正装置に関し、より詳細には、加齢や疾患等によって背筋が前方に曲がることを防止又は減少させる背筋矯正装置に関する。
【背景技術】
【０００２】
加齢や疾患等によって背筋が前方に曲がる人があり、この背筋の前方への曲がりにより、歩行等の運動が困難になる問題や、その人の外観が害される問題や、そして内臓が圧迫されること等によって健康が害される問題等が生じうる。とりわけ加齢によって老齢期にある人の多くが、背筋の前方への曲がりを多かれ少なかれ有することから、このような背筋の前方への曲がりを防止又は減少させることは極めて重要である。
このためこれまでも背筋の前方への曲がりを防止又は減少させるための装置等が多数提案されてきた（例えば、特許文献１参照）。
【０００３】
特許文献１には、「日常生活において用いることができると共に、背筋を矯正することができる背筋矯正用座椅子の提供を目的と」（特許文献１、段落番号０００３）してなされたものであり、具体的には、「座わった状態において、背筋が略垂直に伸びるように座面が前方に向けて下り傾斜に設けられた座部と、前記座部と床面との間に折り曲げられた足の脛先側が収まると共に股間を開いた状態で足の脛先側が収まる幅の空洞部と、略垂直に下げた左右の手の手がかりとなるよう当該座部を支える脚部に設けられた手がかり部とを備えたことを特徴とする」（特許文献１、段落番号０００４）背筋矯正用座椅子が開示されている。かかる特許文献１の背筋矯正用座椅子は、「座部１は、座面１１が前方に向けて下り傾斜となるように左右の脚部２、３に着脱自在に設けられている。このように座部１の座面１１を傾斜させると、座部１に座わった人は安定を得ようとして自ずと姿勢を正し、結果として、背筋が略垂直に伸びる姿勢となる。このように、座わった状態において、背筋が略垂直に伸びるように座面１１を前方に向けて下り傾斜に設けたのである。これによって、座部１に座るだけで、背筋を適正に伸張させることができ、上半身の姿勢を矯正することができる。」（特許文献１、段落番号００１３）ものであり、「前方に下り傾斜の座面に安定に座ることにより、自ずと上半身の姿勢が、側面方向から見てＳ字状、背面から見ると背筋が垂直に伸びて、適正な姿勢を保つことができる。しかも、左右の手がかり部に手を掛けることによって、両肩を自ずと水平にすることができるだけでなく、この手がかり部を手で引き上げるように上体の姿勢を張ることによって、姿勢を安定に保ちつつ、上半身の筋や筋肉を正しい姿勢の下で容易に緊張させることができる。」（特許文献１、段落番号００３１〜００３２）。
【０００４】
【特許文献１】特開２００４−３０５６６２号公報（要約、特許請求の範囲、段落番号０００３〜０００４、００１１〜００１３、００３１〜００３２、第１図〜第３図等）
【考案の開示】
【考案が解決しようとする課題】
【０００５】
上記した特許文献１に開示の背筋矯正用座椅子は、確かに「前方に下り傾斜の座面に安定に座ることにより、自ずと上半身の姿勢が、側面方向から見てＳ字状、背面から見ると背筋が垂直に伸びて、適正な姿勢を保つことができる。」（特許文献１、段落番号００３１）が、座面に座ることで自然に背筋が伸びることにより背筋が矯正されるものであり、背筋矯正用座椅子の使用者（例えば、座面に座っても自然には背筋が十分に伸びない使用者）によっては十分な効果が得られないという問題があった。
【０００６】
そこで、本考案では、使用者に係わらず、背筋を伸ばし背筋が前方に曲がることを防止又は減少させる背筋矯正装置を提供することを目的とする。
【課題を解決するための手段】
【０００７】
本考案の背筋矯正装置（以下、「本装置」という。）は、所定軸を軸とする第１の回転面のうち、該所定軸を含む平面である基準面によって２の空間に分割された一方の空間に存する第１の回転面の少なくとも一部に沿って略形成され、床面に当接する床面当接面と、人体の背中を支持する背中支持面であって、該２の空間に分割された他方の空間に存し、基準面から遠ざかる方向に突出する凸曲面である背中支持面と、を有してなる本体部を備えてなり、床面に対する本体部の少なくともいずれかの転動位置において、該背中が背中支持面により下方から支持されるものである、背筋矯正装置である。
【０００８】
本装置は本体部を備えている。
本体部は、床面に当接する床面当接面と、人体の背中を支持する背中支持面と、を有してなる。
床面当接面は、所定軸を軸とする第１の回転面のうち、該所定軸を含む平面である基準面によって２の空間に分割された一方の空間に存する第１の回転面の少なくとも一部に沿って略形成される。ここに第１の回転面とは、該所定軸を含む平面である基準面に存する曲線（直線を含む）が、該所定軸の周りに１回転されたときに該曲線が描く曲面の１つである。このような第１の回転面のうち基準面によって２の空間に分割された一方の空間に存する部分（該一方の空間に存する第１の回転面の部分）の少なくとも一部に沿って床面当接面は略形成されるので、床面当接面が床面に当接した状態を保ちつつ本体部は該所定軸を中心に転動可能である。
背中支持面は、該２の空間（該所定軸を含む平面である基準面によって分割された２の空間）に分割された他方の空間（床面当接面が形成された該一方の空間とは異なる空間）に存し、基準面から遠ざかる方向に突出する凸曲面（即ち、該他方の空間において、基準面に対して垂直な方向から見て凸の曲面を形成する。）である。
このような床面に当接する床面当接面と、人体の背中を支持する背中支持面と、を本体部が有し、床面当接面が床面に当接した状態を保ちつつ本体部が該所定軸を中心に床面を転動し、床面に対する本体部の少なくともいずれかの転動位置において、人体の該背中が凸曲面の背中支持面により下方から支持される（人体に加わる重力の少なくとも一部が、背中から背中支持面に伝達され支えられる状態）ので、人体に加わる重力によって該背中は凸曲面の形状に沿って反らされることになる。
このため本装置によれば、使用者に係わらず、凸曲面の背中支持面により下方から背中が支持されることで、人体に加わる重力により該背中が凸曲面の形状に沿って反らされので（背筋を後方に反らすよう矯正する）、背筋を伸ばし背筋が前方に曲がることを防止又は減少させることができる。
【０００９】
背中が背中支持面により下方から支持された状態において、対象とする人体の足が床面に当接する位置から、該足が床面から離れる位置までの範囲を含む床面に対する本体部の転動が可能であってもよい。
本装置は、前述の如く、床面当接面が床面に当接した状態を保ちつつ本体部が該所定軸を中心に床面を転動し、床面に対する本体部の少なくともいずれかの転動位置において該背中が凸曲面の背中支持面により下方から支持されるので、床面に対する本体部の転動位置を変化させることで、使用者（人体）の状態や好みに応じて該背中が凸曲面の形状に沿って反らされる力を調節することもできる。とりわけ背中が背中支持面により下方から支持された状態において、対象とする人体の足が床面に当接する位置（以下、「足着き位置」という。）から、該足が床面から離れる位置（以下、「足浮き位置」という。）までの範囲を含む床面に対する本体部の転動が可能であれば、該背中が凸曲面の形状に沿って反らされる力を大きな範囲で自由に調節することができる（具体的には、足着き位置では該反らされる力をほぼ無くすことができると共に、足浮き位置では該反らされる力を大きくすることができ、これら両位置の間で該反らされる力を連続的に調節することができる。）。
【００１０】
所定転動位置を超えて人体の頭部が床面に接近する方向の転動を禁止する転動禁止手段を有するもの（以下、「転動禁止手段保有本装置」という。）であってもよい。
本装置は、床面当接面が床面に当接した状態を保ちつつ本体部が該所定軸を中心に床面を転動し、床面に対する本体部の少なくともいずれかの転動位置において該背中が凸曲面の背中支持面により下方から支持されるが、本体部が、人体の頭部が床面に接近する方向の転動をしすぎると頭部が床面に衝突して危険である。このため人体の頭部が床面に衝突することを防止するため、所定転動位置を超えて人体の頭部が床面に接近する方向の転動を禁止する転動禁止手段を本装置が有するようにしてもよい。
【００１１】
転動禁止手段保有本装置の場合、転動禁止手段が、第１の回転面から突出するように本体部に取り付けられ、前記所定転動位置において床面に当接する回転止部材であってもよい。
こうすることで第１の回転面から突出するように本体部に取り付けられた回転止部材が、前記所定転動位置（それを超える人体の頭部が床面に接近する方向の転動を禁止する転動位置）において床面に当接するようにすれば、回転止部材という簡単かつ安価な構成で転動禁止手段を形成することができ、所定転動位置を超えて人体の頭部が床面に接近する方向の転動を確実に禁止することができる。
【００１２】
本装置においては、前記第１の回転面が円柱の側面であってもよい。
こうすることで床面当接面が、前記所定軸に平行な方向に連続して床面に当接することができるので、床面当接面の床面への当接圧力を減少させることができ、床面当接面及び床面の損傷を防止又は減少させることができる。
【００１３】
本装置においては、凸曲面が、前記所定軸を軸とする第２の回転面の少なくとも一部に沿って略形成されているもの（以下、「第２の回転面保有本装置」という。）であってもよい。
こうすることで凸曲面たる背中支持面が、前記所定軸を軸とする第２の回転面の少なくとも一部に沿って略形成されるので、背中が背中支持面により下方から支持された状態を保ちつつ、床面に対する本体部の円滑な転動ができる。
【００１４】
第２の回転面保有本装置の場合、前記第２の回転面が円柱の側面であってもよい。
こうすることで背中支持面が、前記所定軸に平行な方向に連続して背中に当接可能であるので、背中を確実に支持することができると共に、背中支持面の背中への当接圧力を減少させることができ背中に痛み等を生じることを防止又は減少させることができる。
【００１５】
本装置においては、本体部が、第１の回転面に沿って前記所定軸の周りに形成された環状部分であって外周面が床面当接面を形成する環状部分を有してなるもの（以下、「環状部分保有本装置」という。）であってもよい。
このように第１の回転面に沿って前記所定軸の周りに形成され、外周面が床面当接面を形成する環状部分を本体部が有することで、背中支持面が人体の背中を支持することで加わる力（通常、環状部分の外周面を前記所定軸の方向に向かって押す力）に対して十分な強度を本体部が有するように容易に構成することができると共に、床面当接面を確実かつ容易に形成することができる。
【００１６】
環状部分保有本装置の場合、本体部が、前記所定軸方向に互いに離れた第１の環状部分及び第２の環状部分と、第１の環状部分と第２の環状部分とを連結する連結部材と、を有してなるものであってもよい。
このように環状部分保有本装置における環状部分が、前記所定軸方向に互いに離れるように連結部材によって連結された第１の環状部分及び第２の環状部分を含むことで、第１の環状部分と第２の環状部分との間にも部材が存する場合に比して本体部の軽量化に資することができることに加え、第１の環状部分の外周面と第２の環状部分の外周面とを含んで床面当接面が形成されるので、本体部が自立した状態で床面を転動する（平らな床面を本体部が転動する際に前記所定軸が該床面に対してなす角度が略一定のまま本体部が転動する。）ように本体部を容易に構成することができる。
【００１７】
本装置においては、本体部が、床面当接面よりも柔軟な背中支持面を形成する背中当接部分を有するものであってもよい。
本体部が有する背中支持面は、人体の背中を下方から支持するものであるので、背中に痛みを感じることを防止し快適な使用感を提供することからは柔軟であることが好ましい。一方、本体部が有する床面当接面は、人体の背中を支持した本体部が床面に面する部分であるので、耐摩耗性や高耐久性を有することからは硬いことが好ましい。これらを両立するためには、床面当接面を硬く形成し、この床面当接面よりも柔軟な背中支持面を形成する背中当接部分を本体部が有するようにしてもよい。
【００１８】
本装置においては、背中が背中支持面により支持される状態を保つよう、背中の背中支持面に対する相対的位置の変化を制限するための人体に係合する、本体部に取り付けられた係合手段をさらに備えてなるもの（以下、「係合手段保有本装置」という。）であってもよい。
本装置においては、前述した通り、本体部が前記所定軸を中心に床面を転動し、背中が凸曲面の背中支持面により下方から支持されることにより、該背中が凸曲面の形状に沿って反らされることで背筋が伸びて背筋が前方に曲がることを防止又は減少させることができる。このように背中が凸曲面の背中支持面により下方から支持され凸曲面の形状に沿って反らされるに際し、背中の背中支持面に対する相対的位置がずれる問題が生じ得る。かかる問題を防止又は減少させるため、本体部に係合手段を取り付け、この係合手段が、背中の背中支持面に対する相対的位置の変化を制限するよう人体に係合することで、背中が背中支持面により支持される状態が保たれるようにしてもよい。
【００１９】
係合手段保有本装置の場合、係合手段が、人体の左右の上腕に係合する一対のベルトであってもよい。
こうすることで係合手段たる一対のベルトの一方が人体の左上腕に係合すると共に、他方が人体の右上腕に係合するので、背中の背中支持面に対する相対的位置の変化を確実に制限することができ、背中が背中支持面により支持される状態が確実に保たれる。
【００２０】
本装置においては、人体の手で把持する杖部材が付設されたものであってもよい。
本装置においては、本体部が前記所定軸を中心に転動し、背中が凸曲面の背中支持面により下方から支持されることにより、該背中が凸曲面の形状に沿って反らされることで背筋が伸びて背筋が矯正されるものであり、この本体部の前記所定軸を中心とする転動は、本装置の使用者（背中支持面により背中が支持された人）自身で行ってもよく、そして該使用者以外の補助者によって行われてもよい。この該使用者自身で該転動を行うには、該使用者の足や手によって行ってもよいが、該足や該手が床面等に届かない等によってうまく行えない場合があり得る。このため人体（背中支持面により背中が支持された該使用者）の手で把持する杖部材を本装置に付設し、該使用者が杖部材を把持し、杖部材の先端を床面に着いて力を加えること等によって該転動をさせるようにしてもよい。
【考案を実施するための最良の形態】
【００２１】
本考案の実施の形態を図面を参照して詳述するが、本考案はこれに限定されるものではない。
【００２２】
図１は、一例の本考案の背筋矯正装置（本装置）１１の左側面図であり、図２は本装置１１を示す平面図（図１中、矢印Ａ方向から見たところを示している。）であり、図３は本装置１１を示す正面図（図１中、矢印Ｂ方向から見たところを示している。）であり、そして図４は本装置１１を示す背面図（図１中、矢印Ｃ方向から見たところを示している。）である。図１乃至図４を参照して、本装置１１について説明する。
本装置１１は、大まかには、本体部２１と、一対の回転止部材５１ａ、５１ｂと、一対のベルト７１、７３とを備えてなり、後述するように、一対の杖部材９１、９３が付設されている。
【００２３】
本体部２１は、仮想上の軸Ｙ（本考案にいう所定軸である。なお、図１は軸Ｙに対して垂直な面を示しているので、軸Ｙは点として示されている。）を軸とする第１リング２３と、軸Ｙを軸とする第２リング２５と、第１リング２３を半径方向に補強する第１リング補強棒２４（特に、図１参照）と、第２リング２５を半径方向に第１リング補強棒２４と同様に補強する第２リング補強棒（図にあらわれない）と、第１リング補強棒２４と第２リング補強棒とを軸Ｙに沿って連結する中心棒２７と、第１リング２３と第２リング２５とを軸Ｙに略平行方向に連結する複数（具体的には、第１リング２３と第２リング２５との周に略等間隔に８本）の連結棒２９と、複数の連結棒２９のうち１の連結棒２９である一端支持連結棒２９ａ（図１乃至図４において最も上部に図示される連結棒）と他の１の連結棒２９である他端支持連結棒２９ｂ（一端支持連結棒２９ａと他端支持連結棒２９ｂとが軸Ｙの周りになす角度Ｄ（図１参照）は約１３５度）との間に架け渡された背当て支持部材３１と、一端が一端支持連結棒２９ａに係合すると共に他端が他端支持連結棒２９ｂに係合し背当て支持部材３１の外周面に内面（裏面３３ａ２）が当接し支持される背当て３３と、を有している。
【００２４】
第１リング２３は、軸Ｙを軸とする直円柱（軸Ｙ方向の寸法が小さい。半径ｒ１、なお、ここではｒ１＝約５５０ｍｍ）の側面に沿った第１リング外周面２３ａを有し、中心棒２７に一端が取り付けられると共に他端が第１リング２３の内周面（軸Ｙを軸とする直円柱（軸Ｙ方向の寸法が小さい）の側面に沿っている。）に取り付けられた長手方向が半径方向（軸Ｙに対して垂直方向）に向いた複数の第１リング補強棒２４によって半径方向（軸Ｙに対して垂直方向）に補強されている。
同様に、第２リング２５は、軸Ｙを軸とする直円柱（軸Ｙ方向の寸法が小さい。半径ｒ１＝約５５０ｍｍ）の側面に沿った第２リング外周面２５ａを有し、中心棒２７に一端が取り付けられると共に他端が第２リング２５の内周面（軸Ｙを軸とする直円柱（軸Ｙ方向の寸法が小さい）の側面に沿っている。）に取り付けられた長手方向が半径方向（軸Ｙに対して垂直方向）に向いた複数の第２リング補強棒（不図示）によって半径方向（軸Ｙに対して垂直方向）に補強されている。なお、ここでは第１リング２３と第２リング２５とは同一の部材（同寸法、同材質）によって形成されている。そして、第１リング補強棒２４及び第２リング補強棒（不図示）のいずれも同一の部材（同寸法、同材質）によって形成されている。
そして、複数の連結棒２９はいずれも一端が第１リング２３の第２リング２５に面する面に取りつけられると共に、他端が第２リング２５の第１リング２３に面する面に取りつけられることで、第１リング２３と第２リング２５とを軸Ｙに略平行方向に連結している（複数の連結棒２９はいずれも長手方向が軸Ｙに略平行になるように第１リング２３と第２リング２５とに取りつけられている。）。また、前述のように、中心棒２７は、第１リング補強棒２４と第２リング補強棒（不図示）とを軸Ｙに略平行方向に連結している（中心棒２７は、軸Ｙを軸とする直円柱形状の棒状部材である。）。なお、複数の連結棒２９はいずれも同一の部材（同寸法、同材質）によって形成されている。
以上のように、第１リング２３と第２リング２５と第１リング補強棒２４と第２リング補強棒（不図示）と中心棒２７と連結棒２９とは、全体で軸Ｙを軸とする中空（中心棒２７は内部を貫通するので、中心棒２７を除いて中空である）の直円柱（半径ｒ１＝約５５０ｍｍ）形状を略なしており（該直円柱を裏打ちする骨組みを構成するとも考えられる。）、例えば、水平な平らな床面に軸Ｙが該床面に略平行になるように置けば、軸Ｙを中心に回転することで該床面を円滑に転動（重心が、軸Ｙの上に略存すると共に、中心棒２７の略中央に位置する。）することができる。
【００２５】
背当て支持部材３１は、一端支持連結棒２９ａと他端支持連結棒２９ｂとの間に取りつけられた複数（具体的には４本）の湾曲した帯状部材から形成されており、湾曲した外周面は軸Ｙを軸とする直円柱（軸Ｙ方向の寸法が小さい。半径ｒ１）の側面に沿っている。即ち、背当て支持部材３１の外周面は、第１リング外周面２３ａと第２リング外周面２５ａと同様に、軸Ｙを軸とする半径ｒ１の直円柱の側面に略沿っている。前述の通り、背当て支持部材３１が取りつけられた一端支持連結棒２９ａと他端支持連結棒２９ｂとの間が軸Ｙの周りになす角度Ｄ（図１参照）は約１３５度であり、軸Ｙを軸とする半径ｒ１の直円柱の側面のうち８分の３に背当て支持部材３１が取りつけられている。
【００２６】
背当て３３は、人体の背中（いずれも不図示）が主として当接するクッション部３３ａ（厚みがほぼ均等な板状をしている）と、人体の頭部（いずれも不図示）が主として当接するクッション部３３ａの一端側（ここでは一端支持連結棒２９ａ側）に形成された枕部３３ｂと、クッション部３３ａの一端（ここでは一端支持連結棒２９ａ側の端）に形成された一対の一端側取付具３３ｃと、クッション部３３ａの他端（ここでは他端支持連結棒２９ｂ側の端）に形成された一対の他端側取付具３３ｄと、を有してなる。そして、一対の一端側取付具３３ｃは一端支持連結棒２９ａに引っかけることで係止可能なカギ状に形成されると共に、一対の他端側取付具３３ｄは他端支持連結棒２９ｂに引っかけることで係止可能なカギ状に形成されている。
このため背当て３３は、一対の一端側取付具３３ｃを一端支持連結棒２９ａに引っかけることで係止されると共に、一対の他端側取付具３３ｄを他端支持連結棒２９ｂに引っかけることで係止され、そしてクッション部３３ａの裏面３３ａ２（特に、図４参照）が背当て支持部材３１の外周面に当接することで、一端支持連結棒２９ａ及び他端支持連結棒２９ｂに取りつけられている。
また、クッション部３３ａと枕部３３ｂとは柔軟なスポンジ材料によって一体に形成されており、これらクッション部３３ａ及び枕部３３ｂに人体の背中や頭部（いずれも不図示）が当接や衝突した際に痛みを感じることなく良好な使用感を与える。なお、一端側取付具３３ｃ及び他端側取付具３３ｄのいずれも、クッション部３３ａとの取りつけ部分は伸縮自在なゴム帯（不図示）により形成されており、一端支持連結棒２９ａに引っかけられた一端側取付具３３ｃと他端支持連結棒２９ｂに引っかけられた他端側取付具３３ｄとの間に該ゴム帯（不図示）が張力を与えることで一端側取付具３３ｃ及び他端側取付具３３ｄが一端支持連結棒２９ａ及び他端支持連結棒２９ｂに安定して係止される。
【００２７】
回転止部材５１ａは、長手方向が第１リング外周面２３ａの接線方向に向くように基端が第１リング外周面２３ａに取りつけられた回転止棒５３ａと、回転止棒５３ａの先端近傍と第１リング外周面２３ａとを連結する該長手方向に対して略垂直方向に向いた補強棒５５ａと、を有してなる。
同様に、回転止部材５１ｂは、長手方向が第２リング外周面２５ａの接線方向に向くように基端が第２リング外周面２５ａに取りつけられた回転止棒５３ｂと、回転止棒５３ｂの先端近傍と第２リング外周面２５ａとを連結する該長手方向に対して略垂直方向に向いた補強棒５５ｂと、を有してなる。
そして、回転止棒５３ａと回転止棒５３ｂとは、同一の平面（図１及び図２中、点線Ｐにて示す。軸Ｙに略平行な平面）にほぼ接するように取りつけられている。
【００２８】
ベルト７１は、人体の右の上腕（いずれも不図示）に係合するベルトであり、一端（上端）が連結棒２９（クッション部３３ａの裏面３３ａ２に面する連結棒２９の部分）に取りつけられると共に、他端（下端）が該連結棒２９（該一端が取り付けられた連結棒）に隣接する連結棒２９に取りつけられている。なお、該一端（上端）が取りつけられた連結棒２９と該他端（下端）が取りつけられた連結棒２９とは一端支持連結棒２９ａと他端支持連結棒２９ｂとに挟まれた位置に存する。
同様に、ベルト７３は、人体の左の上腕（いずれも不図示）に係合するベルトであり、一端（上端）が連結棒２９（クッション部３３ａの裏面３３ａ２に面する連結棒２９の部分）に取りつけられると共に、他端（下端）が該連結棒２９（該一端が取り付けられた連結棒）に隣接する連結棒２９に取りつけられている。なお、該一端（上端）が取りつけられた連結棒２９と該他端（下端）が取りつけられた連結棒２９とは一端支持連結棒２９ａと他端支持連結棒２９ｂとに挟まれた位置に存する。また、ベルト７１の一端（上端）が取りつけられた連結棒２９と、ベルト７３の一端（上端）が取りつけられた連結棒２９と、は同一であり、そしてベルト７１の他端（下端）が取りつけられた連結棒２９と、ベルト７３の他端（下端）が取りつけられた連結棒２９と、は同一である。
【００２９】
そして、一対の杖部材９１、９３が付設されているが、これについては後述する。
また、第１リング２３と第２リング２５と第１リング補強棒２４と第２リング補強棒（不図示）と中心棒２７と連結棒２９と背当て支持部材３１と回転止部材５１ａ、５１ｂとは、後述のように人体の背中（不図示）が背当て３３のクッション部３３ａの外周面３４により下方から支持されるのに十分な強度を有すると共に取扱や床面での転動が容易に行える程度の重量に形成できればこれらを形成する材料は何ら限定されるものではないが、軽量鋼材や木材によって形成されてもよい。また、ここでは杖部材９１、９３を除く本装置１１の総重量は２０ｋｇ以下で構成されている。
【００３０】
本装置１１の使用方法について説明する。
図５は、本装置１１の使用方法の第１ステップを示す左側面図（本装置１１については図１と同様の方向から見ている。）であり、図６は本装置１１の使用方法の第１ステップを示す正面図（図５中の矢印Ｅ方向から見たところを示している。なお本装置１１については図３と同様の方向から見ている。）である。図５及び図６を参照して、本装置１１の使用方法の第１ステップについて説明する。なお、ここでは理解及び図示を容易にするため、本装置１１の使用者の人体１０１を点線によって示している。
本装置１１の使用方法の第１ステップ（図５、図６）においては、水平面に略沿った床面２０１に立った状態の人体１０１によって本装置１１の本体部２１が背負われた状態になっている。具体的には、本体部２１の背当て３３のクッション部３３ａが人体１０１の背中に当接すると共に、ベルト７１が人体１０１の右の上腕１０３に係合しかつベルト７３が人体１０１の左の上腕１０５に係合している。これによって本装置１１の本体部２１は人体１０１により安定に背負われている（リュックサック等を背負うような場合と類似した状態である）。
一方、杖部材９１が、人体１０１の右手１０７によって把持されている。杖部材９１は、細長い丸棒状の杖本体９１ａと、杖本体９１ａの先端に取りつけられたゴム製の滑り止めキャップ９１ｂと、を有してなり、杖本体９１ａの基端側が右手１０７によって把持されると共に滑り止めキャップ９１ｂを床面２０１に当接（床面２０１と滑り止めキャップ９１ｂとの滑りは、滑り止めキャップ９１ｂがゴム製であることから防止される。）させることで人体１０１の姿勢を保ったり変化させるのに用いることができる。
同様に、杖部材９３が、人体１０１の左手１０９によって把持されている。杖部材９３は、細長い丸棒状の杖本体９３ａと、杖本体９３ａの先端に取りつけられたゴム製の滑り止めキャップ９３ｂと、を有してなり、杖本体９３ａの基端側が左手１０９によって把持されると共に滑り止めキャップ９３ｂを床面２０１に当接（床面２０１と滑り止めキャップ９３ｂとの滑りは、滑り止めキャップ９３ｂがゴム製であることから防止される。）させることで人体１０１の姿勢を保ったり変化させるのに用いることができる。
このように付設された一対の杖部材９１、９３を人体１０１が手１０７、１０９によって把持し、滑り止めキャップ９１ｂ、９３ｂを床面２０１に当接させることで、スキーのストックのように人体１０１の姿勢を保ったり変化させるのに用いることができる。
【００３１】
そして、第１ステップ（図５、図６）から、使用者（人体１０１）が膝を曲げて本装置１１の第１リング外周面２３ａ及び第２リング外周面２５ａを床面２０１に当接させる。
その後、使用者（人体１０１）は、背当て３３のクッション部３３ａに背中を当接させた状態で、図７に示す状態まで軸Ｙを中心に本体部２１を床面２０１上で転動させる。なお、この転動は、使用者（人体１０１）が足１０６で床面２０１を蹴ったり、手１０７、１０９によって把持した杖部材９１、９３の滑り止めキャップ９１ｂ、９３ｂを床面２０１に当接させ床面２０１に力を加えることによって行われてもよい。
図７に示す状態では、回転止棒５３ａと回転止棒５３ｂとが床面２０１に当接することで、これを超えて本体部２１が（図７中、反時計回り方向に）転動することが禁止されている。これにより図７に示す転動位置（所定転動位置）を超えて人体１０１の頭部１０８が床面２０１に接近する方向への本体部２１の転動が禁止され、頭部１０８が床面２０１に衝突することが防止される。
また、図７に示す状態では、人体１０１の背中が背当て３３のクッション部３３ａの外周面３４により下方（床面２０１側）から支持されることで、背筋がクッション部３３ａの外周面３４に沿って反ることで背筋がのびて背筋が矯正されている。そして、人体１０１の頭部１０８は枕部３３ｂにより支持されている。
図７中には、杖部材９１、９３の位置として位置Ｍ（実線にて示す）と位置Ｎ（点線にて示す）との両位置を示したが、位置Ｎは本体部２１が図７中で反時計回りに転動する方向に力を加えることで図７の状態を保持するための杖部材９１、９３の位置であり（該力を加えても、回転止棒５３ａと回転止棒５３ｂとの床面２０１への当接により図７中、これを超える本体部２１の反時計回り方向への転動は禁止されるので、図７の転動位置が丁度保たれる。）、位置Ｍは図７中で時計回りに本体部２１を転動する方向に力を加えることで図７の状態から時計回りに本体部２１を転動させるための杖部材９１、９３の位置である。このように使用者（人体１０１）の目的や状態に応じ、人体１０１の背中が背当て３３のクッション部３３ａの外周面３４により支持された状態を保ちつつ、本装置１１の本体部２１を床面２０１上で適宜転動させることで、背筋をのばす力を調節しつつ背筋を矯正することができる。
【００３２】
以上説明したように、本装置１１は、所定軸（軸Ｙ）を軸とする第１の回転面（ここでは第１リング外周面２３ａ及び第２リング外周面２５ａを含む。）のうち、該所定軸（軸Ｙ）を含む平面である基準面（例えば、図１中、平面Ｑ）によって２の空間（図１中、平面Ｑにより分割される空間Ｓ１と空間Ｓ２）に分割された一方の空間（ここでは空間Ｓ２）に存する第１の回転面（第１リング外周面２３ａ及び第２リング外周面２５ａ）の少なくとも一部に沿って略形成され、床面２０１に当接する床面当接面（ここでは第１リング外周面２３ａ及び第２リング外周面２５ａのうち図１にて部分Ｚとして示した。）と、人体１０１の背中を支持する背中支持面（背当て３３のクッション部３３ａの外周面３４）であって、該２の空間（図１中、平面Ｑにより分割される空間Ｓ１と空間Ｓ２）に分割された他方の空間（ここでは空間Ｓ１）に存し、基準面（図１中、平面Ｑ）から遠ざかる方向に突出する凸曲面である背中支持面（クッション部３３ａの外周面３４）と、を有してなる本体部２１を備えてなり、床面２０１に対する本体部２１の少なくともいずれかの転動位置（例えば、図７）において、該背中が背中支持面（クッション部３３ａの外周面３４）により下方（床面２０１側）から支持されるものである、背筋矯正装置である。
【００３３】
本装置１１においては、背中が背中支持面（クッション部３３ａの外周面３４）により下方から支持された状態において、対象とする人体１０１の足１０６が床面２０１に当接する位置（図５及び図６の状態から使用者（人体１０１）が膝を曲げて本装置１１の第１リング外周面２３ａ及び第２リング外周面２５ａを床面２０１に当接させた後、膝を伸ばして本体部２１を転動させ、まだ足１０６が床面２０１に当接している位置）から、該足１０６が床面２０１から離れる位置（例えば、図７）までの範囲を含む床面２０１に対する本体部２１の転動が可能である。
本装置１１は、所定転動位置（図７の転動位置）を超えて人体１０１の頭部１０８が床面２０１に接近する方向（図７中では反時計回り方向）の（本体部２１の）転動を禁止する転動禁止手段（ここでは回転止部材５１ａ、５１ｂ）を有するものである。
また、ここでは転動禁止手段が、第１の回転面（第１リング外周面２３ａ及び第２リング外周面２５ａ）から突出するように本体部２１に取り付けられ、前記所定転動位置（図７の転動位置）において床面２０１に当接する回転止部材５１ａ、５１ｂである。
【００３４】
本装置１１においては、前記第１の回転面（第１リング外周面２３ａ及び第２リング外周面２５ａ）が円柱の側面（軸Ｙを軸とする直円柱の側面）である。
本装置１１においては、凸曲面（クッション部３３ａの外周面３４）が、前記所定軸（軸Ｙ）を軸とする第２の回転面（軸Ｙを軸とする直円柱の側面）の少なくとも一部に沿って略形成されており、前記第２の回転面が円柱の側面（軸Ｙを軸とする直円柱の側面）である。
本体部２１が、第１の回転面（第１リング外周面２３ａ及び第２リング外周面２５ａ）に沿って前記所定軸（軸Ｙ）の周りに形成された環状部分（第１リング２３と第２リング２５）であって外周面（第１リング外周面２３ａ及び第２リング外周面２５ａ）が床面当接面を形成する環状部分（第１リング２３と第２リング２５）を有してなる。
本体部２１が、前記所定軸（軸Ｙ）方向に互いに離れた第１の環状部分（第１リング２３）及び第２の環状部分（第２リング２５）と、第１の環状部分と第２の環状部分とを連結する連結部材（第１リング補強棒２４と第２リング補強棒（不図示）と中心棒２７と連結棒２９とを含んで構成される。）と、を有してなる。
【００３５】
本装置１１においては、本体部２１が、床面当接面（第１リング外周面２３ａ及び第２リング外周面２５ａのうち図１の部分Ｚ）よりも柔軟な背中支持面（背当て３３のクッション部３３ａの外周面３４）を形成する背中当接部分（背当て３３のクッション部３３ａ）を有するものである。
加えて、本装置１１においては、背中が背中支持面（背当て３３のクッション部３３ａの外周面３４）により支持される状態を保つよう、背中の背中支持面（背当て３３のクッション部３３ａの外周面３４）に対する相対的位置の変化を制限するための人体１０１に係合する、本体部２１に取り付けられた係合手段（ベルト７１、７３）をさらに備えてなるものである。
係合手段（ベルト７１、７３）が、人体１０１の左右の上腕１０３、１０５に係合する一対のベルト７１、７３である。
また、本装置１１においては、人体１０１の手１０７、１０９で把持する杖部材９１、９３が付設されたものである。
【図面の簡単な説明】
【００３６】
【図１】一例の本考案の背筋矯正装置（本装置）の左側面図である。
【図２】本装置を示す平面図である。
【図３】本装置を示す正面図である。
【図４】本装置を示す背面図である。
【図５】本装置の使用方法の第１ステップを示す左側面図である。
【図６】本装置の使用方法の第１ステップを示す正面図である。
【図７】背中が背当てのクッション部の外周面により下方から支持されたところを示す左側面図である。
【符号の説明】
【００３７】
１１            本装置
２１            本体部
２３            第１リング
２３ａ          第１リング外周面
２４            第１リング補強棒
２５            第２リング
２５ａ          第２リング外周面
２７            中心棒
２９            連結棒
２９ａ          一端支持連結棒
２９ｂ          他端支持連結棒
３１            背当て支持部材
３３            背当て
３３ａ          クッション部
３３ａ２        裏面
３３ｂ          枕部
３３ｃ          一端側取付具
３３ｄ          他端側取付具
５１ａ、５１ｂ  回転止部材
５３ａ、５３ｂ  回転止棒
５５ａ、５５ｂ  補強棒
７１、７３      ベルト
９１、９３      杖部材
９１ａ、９３ａ  杖本体
９１ｂ、９３ｂ  滑り止めキャップ
１０１            人体
１０３            右の上腕
１０５            左の上腕
１０６            足
１０７            右手
１０８            頭部
１０９            左手
２０１            床面
【図１】
0003142607.tif 000003
【図２】
0003142607.tif 000004
【図３】
0003142607.tif 000005
【図４】
0003142607.tif 000006
【図５】
0003142607.tif 000007
【図６】
0003142607.tif 000008
【図７】
0003142607.tif 000009